(57)【要約】【課題】簡単な構造によりダクトノイズを低減できるバスレフ型ウーファーを提供する。【解決手段】ボックスにスピーカーを取り付けるとともに、ボックスの適所に開口したダクトを内設したウーファーにおいて、前記ダクトの出口付近に不規則空気流創成部を設けて、意図的に空気流を乱す。【選択図】図５
2005244741.tif 000002
【特許請求の範囲】
【請求項１】
ボックスにスピーカーを取り付けるとともに、ボックスの適所に開口したダクトを内設したウーファーにおいて、前記ダクトの出口付近に不規則空気流創成部を設けたことを特徴とするバスレフ型ウーファー。
【請求項２】
不規則空気流創成部が、ダクトの内側にエッジのない突起を設けることで構成されていることを特徴とする請求項１に記載のバスレフ型ウーファー。
【請求項３】
不規則空気流創成部が、出口付近のダクト壁に穴を設けることで構成されていることを特徴とする請求項1に記載のバスレフ型ウーファー。
【発明の詳細な説明】
【技術分野】
【０００１】
本発明はバスレフ型ウーファーの構造に関する。
【背景技術】
【０００２】
スピーカーの１タイプとしてエンクロージュアを完全に密閉するのでなく、図１のようなストレート状か、または放出部がホーン状に広がったダクト３００を設け、スピーカユニットの振動板の背後に生ずる音波に位相の変化を与えて放射するバスレフ型ウーファーが知られている。
【０００３】
このバスレフ型ウーファーは、密閉型のウーファーに比べて音圧を稼ぐことができ、伸びのある重低音が得られるが、通常、ダクトの面積が比較的小さく、この部分での流速が非常に早くなるため、図２のように、開口部のエッジＡによる風切り音や、整流効果に起因する開口部外でのカルマン渦の衝突Ｂによる風切り音といった不快なノイズが発生することを避けられなかった。
【発明の開示】
【発明が解決しようとする課題】
【０００４】
本発明は前記のような問題点を解消するためになされたもので、その目的とするところは、簡単な構造によりダクトノイズを低減できるバスレフ型ウーファーを提供することにある。
【課題を解決するための手段】
【０００５】
上記目的を達成するため本発明は、ボックスにスピーカーを取り付けるとともに、ボックスの適所に開口したダクトを内設したウーファーにおいて、前記ダクトの出口付近に不規則空気流創成部を設けたことを特徴としている。
【発明の効果】
【０００６】
本発明はバスレフ型ウーファーのダクトの出口付近に、不規則空気流創成部を設け、これによりダクトを通過中の規則的な空気流を強制的に乱させるので、空気流の流速が落ちるとともに整流作用が減少され、規則的なエッジ形状で誘発されるカルマン渦を的確に抑制することができる。このため、ダクトノイズが減少し、ウーファー本来の良好な低音特性を実現できる。
【発明を実施するための最良の形態】
【０００７】
不規則空気流創成部は、ダクトの内側にエッジのない突起を設けることで構成される。
これによれば、ダクト構造の変更を要さず、たとえばダクト内面と接着性がある硬化性材を山状に塗布するなどして簡単に実施できるので低コストで達成でき、既存のバスレフ型ウーファーにも自在に適用して性能改善を実現できる。
【０００８】
また、不規則空気流創成部は、出口付近のダクト壁に穴を設けることで構成される。
これによれば、ダクトを通る主空気流に対して交差する空気流が衝突するので、確実に空気の乱れを作り出すことができ、また、ダクト内に突部を生じさせないので、体裁をよいものにできる。
【実施例１】
【０００９】
以下、添付図面を参照して本発明の実施例を説明する。
図３ないし図５は本発明によるバスレフ型ウーファーの第１態様を示している。
１はボックス、２は前記ボックス1の所定面に設けた開口に放射部２０を臨ませたスピーカーユニットであり、ダイナミック型、コンデンサ型など任意である。
３は筒状をなすダクトであり、合成樹脂、紙管などから作られ、前記ボックス１の所望の位置に設けた開口部１０に一端が固定され、他端がボックス内に延びて開口している。
ダクト３は、図示するものでは一端が後面に開口されているが、これに限らず、スピーカーユニット２の放射部２０の位置するボックス前面側に開口している場合も含む。
【００１０】
上記のような構成は既存のバスレフ型ウーファーと同様であるが、本発明は、前記ダクト３の出口付近に、不規則空気流創成部４を設けている。
この実施例においては、不規則空気流創成部４は、図４と図５のように、ダクト３の内面から内径側に突出する突起４０で構成されている。該突起４０は断面が山形状になっており、突端は尖ったエッジでなく曲面状４０１をなしている。突起のダクト内面からの高さは、空気の流れを乱すに十分な値が選定される。
【００１１】
前記突起４０は、この例では、リング状をなしているが、ダクト断面形状に応じて分断状など特定部位にのみ設けてもよい。また、高さは全周で同じであってもよいし、凹凸があってもよい。突起４０は硬いものであってもよいし、適度な弾性があってもよい。
突起４０は、別途用意した固体状の突起部材をダクト内面に貼り付けるなどして得てもよいし、プラスチック系接着剤あるいはゴム系接着剤などの可塑性不定形材料を用い、これをダクト３の内面に盛り上がるように塗布し、硬化させることで得てもよい。
【００１２】
この実施例によれば、スピーカーユニット２の振動板からの音はボックス１の前面から放射され、振動板の背後に生ずる音波は位相が反転されボックス空間１０で高い音圧となり、ダクト３の中を早い流速で整流状態で流れる。
このとき、ダクト３の出口付近に内径方向に張り出す突起４０があるため、図５のように上流側から整流状態で進んできた空気流５は、突起４０の障害作用で乱され、流速が低下させられると同時に不規則な流れとなる。このため、出口にエッジがあってもこれによる風切り現象が起きにくくなり、かつまた出口から外方でカルマン渦が発生しにくくなる。その結果、ダクトノイズが低減され、澄んだ低音が放射される。
【００１３】
図６と図７は本発明によるバスレフ型ウーファーの第２態様を示している。
この態様においては、ダクト３の出口付近に、不規則空気流創成部４として、ダクト３の肉厚を貫いた穴４１を設けている。他の構成は第１態様と同様である。
前記穴４１は全周でもよいが、この例では複数個のそれぞれが独立した穴としており、各穴は軸線が他の穴と正対しないように位相がずらされている。穴の軸線はダクトの軸線と直交していてもよいし、傾斜角度を持って交差していてもよいし、それらを混在させていてもよい。穴４１の大きさや数は適宜選定する。
穴４１は単純にダクト３にパンチなどで穴をあけたものでもよいが、この例では外方に短く伸びるボス付き穴としている。
【００１４】
この態様においては、スピーカーユニット２の振動板の背後に生ずる音波は位相が反転されボックス空間で高い音圧となり、ダクト３の中を早い流速で整流状態で流れるが、ダクト３の出口付近に穴４１があり、ボックス空間内の高圧な空気が穴４１を通してダクト３内に流入ないし吹き込まれる。このため、図６のように、上流側から整流状態で進んできた空気流が乱され、流速が低下させられると同時に不規則な流れとなる。このため、出口にエッジがあってもこれによる風切り現象が起きにくくなり、かつまた出口から外方でカルマン渦が発生しにくくなる。その結果、ダクトノイズが低減され、澄んだ低音が放射される。
【図面の簡単な説明】
【００１５】
【図１】従来のバスレフ型ウーファーの断面図である。
【図２】従来のダクトでの空気流の流れを示す説明図である。
【図３】本発明によるバスレフ型ウーファーの第１態様を示す部分切欠側面図である。
【図４】図３のＩＶ−ＩＶ線に沿う拡大断面図である。
【図５】第１態様におけるダクトでの空気流の流れを示す説明図である。
【図６】本発明によるバスレフ型ウーファーの第２態様をダクトでの空気流の流れを加味して示す部分的断面図である。
【図７】図６のＶＩＩ−ＶＩＩ線に沿う断面図である。
【符号の説明】
【００１６】
１  ボックス
２  スピーカーユニット
３  ダクト
４  不規則空気流創成部
４０  突起
４１  穴
【図１】
2005244741.tif 000003
【図２】
2005244741.tif 000004
【図３】
2005244741.tif 000005
【図４】
2005244741.tif 000006
【図５】
2005244741.tif 000007
【図６】
2005244741.tif 000008
【図７】
2005244741.tif 000009